(57)【要約】【課題】  視点を遠方とした臨場感のあるシチュエーションを収めることができるカメラ端末を複数有し、かつ、ユーザが所望のカメラ端末を選定することが容易である画像提供サービスシステムを提供する。【解決手段】  ネットワーク１２３に接続されたカメラ端末１０８の撮影画像を携帯端末１１６に提供する画像提供サービスシステムにおいて、携帯端末の位置情報により携帯端末の近傍に設置されたカメラリストを自動的に生成して携帯端末に提供し、選択されたカメラの画像を携帯端末に提供したり、高精細画像をメールにより配信する。【選択図】  図１
2005117566.tif 000002
【特許請求の範囲】
【請求項１】
複数のカメラ端末とサービス局と基地局とがネットワークにより接続され、前記複数のカメラ端末中の所望のカメラ端末で得た画像を前記基地局と通信可能な携帯端末に提供する画像提供サービスシステムであって、
前記複数のカメラ端末のそれぞれが、少なくとも、画像情報を取り込む撮像部と、前記撮像部にて撮影した画像情報のデジタルデータ化及び圧縮を行うエンコーダと、カメラの撮影範囲を変更し、ズーム操作を行うパンチルト機構部と、前記エンコーダの出力信号を送信するとともに、前記ネットワークとの間で通信を行うインターフェイス手段と、前記携帯端末により指定されたとき、前記パンチルト機構部及び前記撮像部を制御して前記携帯端末により指定された画像及び／又は静止画像を撮像し、かつ前記送信する手段を制御して撮影画像を前記携帯端末に提供する制御手段とを有し、
前記携帯端末が、少なくとも、前記基地局との間で通信を行う無線制御部と前記カメラ端末が撮影及びエンコードを行った画像データを表示可能な形式に変換するデコーダと、前記デコーダでデコードされた画像情報を表示する表示部と、前記複数のカメラ端末中の所望のカメラ端末を前記サービス局から提供される前記携帯端末近傍のカメラ端末のリストに基づき指定するとともに、指定したカメラ端末に対してパン、チルト、ズームの動作並びに静止画像を要求する操作部と、前記無線制御部を介して受信した信号を前記デコーダに送り前記表示部に所定の表示を行わせるよう制御する制御部とを有し、
前記基地局は、前記携帯端末を前記ネットワークに接続するものであり、
前記サービス局は、少なくとも、前記携帯端末と通信可能な前記基地局が提供する前記携帯端末の位置を管理する携帯端末位置情報管理部と、前記カメラ端末が設置された位置を管理するカメラ位置情報管理部と、前記ネットワークとの間で通信を行うインターフェイスと、前記携帯端末位置情報管理部とカメラ位置情報管理部と前記インターフェイスを制御するとともに、前記携帯端末位置情報管理部から得られる前記携帯端末の位置情報により前記携帯端末近傍のカメラ端末の前記リストを前記携帯端末に提供する制御手段とを有するサービス局とを有し、
前記携帯端末により指定されたカメラ端末により撮像された撮像画像を前記ネットワーク及び前記基地局を経由して前記携帯端末に送信して、前記画像が前記携帯端末の前記表示部により表示されるよう構成されている画像提供サービスシステム。
【請求項２】
前記カメラ端末の前記撮像部が、画像情報を取り込みビットマップ形式の画像データを生成するよう構成され、前記カメラ端末がさらにエンコードされた画像データをビットマップ形式に変換するデコーダと、２つのビットマップ画像データを比較する画像認識部とを有し、
前記携帯端末の前記操作部及び前記制御部が、前記カメラ端末より取得した画像情報による画像上の追尾対象とする物体の座標情報を付加する手段と、前記カメラ端末に前記座標情報の付加された画像情報を戻すとともに、追尾要求を行う手段を構成し、
前記カメラ端末の前記制御部は、前記携帯端末より戻された画像情報をビットマップ画像データに変換し、追尾対象となる物体について前記撮像部が生成したビットマップ画像データと連続的に比較し、追尾対象の物体の移動を検出した場合、前記パンチルト機構部に、移動した物体を追尾するデータを渡しつつ、連続的に画像を前記携帯端末に提供するよう構成されている請求項１に記載の画像提供サービスシステム。
【請求項３】
前記サービス局の前記制御部と、前記携帯端末位置情報管理部と、前記カメラ位置情報管理部とにより、前記カメラ端末が追尾対象の移動の物体として前記携帯端末を追尾したとき前記携帯端末が接続する前記基地局が他の基地局に変更されたことを検出する手段と、前記携帯端末が接続している前記基地局の変更に合わせて前記携帯端末の位置を示す情報を常時更新する手段と、新たに接続された前記基地局の位置情報を基に近傍の前記カメラ端末を自動的にリストアップする手段と、リストアップされた位置情報を前記携帯端末に提供する手段とを構成する請求項２に記載の画像提供サービスシステム。
【発明の詳細な説明】
【技術分野】
【０００１】
本発明は、カメラ端末で撮像された撮像画像をネットワークを介して携帯端末に送信する画像提供サービスシステムに関し、特にその改良に関する。
【背景技術】
【０００２】
現在、携帯電話を始めとする携帯端末にはデジタルカメラやインターネットなどのネットワーク接続などの様々な新機能が盛り込まれ、ユーザは移動しながらいつでもどこでもそれらの機能を利用してコミュニケーションを行っている。
さらに特筆すべき機能として、基地局における位置登録機能やＧＰＳによる位置情報提供機能というものがあり、ユーザはこのサービスを利用することで自分がいる位置を容易に把握することができるようになっており、運送ビジネスや防犯、介護用途などで利用されている。
上記のカメラ機能と位置情報提供機能を組み合わせた従来例として、下記の特許文献１に開示されている「目標位置探索装置、目標位置探索方法およびプログラム」がある。
【特許文献１】特開２００３−１２１９９５号公報（図２）
【０００３】
この特許文献１に開示された装置は、携帯電話機などのように日常的に気軽に所持できる機能を用いて、目標とする位置まで容易にナビゲートする目的で開発されたものである。この装置によるナビゲートシステムの動作を簡単に説明する。なお、携帯端末機の内部構成は上記特許文献１の図２に示されているが、この内容を図１３に示し説明する。
【０００４】
ここでは、携帯電話Ａ１３０４を持ったユーザＡと携帯電話Ｂ１３０５を持ったユーザＢが共に雑踏の中にあって相互を直接視認することができない状態で待ち合わせを行うこととする。まず、携帯電話Ａ１３０４と携帯電話Ｂ１３０５において、ＧＰＳ衛星１３０６からの情報によりそれぞれの位置情報を随時保持・更新している。そこで、ユーザＡが待ち合わせの相手であるユーザＢが近くにいるかを知りたい場合、ユーザＢがいるであろう雑踏に向けて携帯電話Ａ１３０４に内蔵しているカメラを向けて撮影する。次にユーザＡはユーザＢの携帯電話Ｂ１３０５に対して発呼し、着呼を受けたユーザＢが携帯電話Ｂ１３０５の通話ボタンを押すことにより、接続が完了する。接続した時点で携帯電話Ａ１３０４は携帯電話Ｂ１３０５から、携帯電話Ｂ１３０５の位置情報（緯度、経度、高度）を取得する。
【０００５】
そして、携帯電話Ａ１３０４は自身の位置情報と、内蔵しているカメラが向いている方位情報、角度情報により、先ほど撮影した画像中に携帯電話Ｂ１３０５すなわちユーザＢが含まれているかの演算を行う。演算の結果、撮影画像中にユーザＢが含まれている場合は、画像中のユーザＢの位置を示すマーキングを行い表示画面に表示したり、撮影画像中にユーザＢが含まれていない場合はユーザＢが位置しているであろう方向を矢印で示して表示画面に表示する。
【０００６】
これらの動作を１回又は複数回行うことで、ユーザＡはユーザＢに徐々に近づき、最終的に待ち合わせに成功する。また特許文献１では、位置情報、方位情報、角度情報により撮影画像中の相手の有無を調べる演算については外部のサービス局１３０１で行ってもよいこととなっており。さらに、待ち合わせには建物や名所などを使う場合もあるが、この場合は待ち合わせる場所であるランドマークの位置情報をあらかじめサービス局１３０１側でデータベース化することでこれを実現している。
【発明の開示】
【発明が解決しようとする課題】
【０００７】
しかしながら上記従来例においては、ユーザがユーザ自身を撮影する記念写真的用途に向いたものではない。第１の課題として、上記従来例は端末を有するユーザを効率的に目的地までナビゲートする目的のシステムであるため、ユーザ自身は撮影した画面には映ることはない。撮影は携帯電話が内蔵するカメラで行うため、自分自身を写したい場合は、基本的にはユーザの手の届く範囲での近距離撮影しか行えず、視点を遠方とした臨場感のあるシチュエーションを収めることが難しい。
【０００８】
第２の課題として、携帯電話の位置登録機能により自分が何処にいるかは把握できるが、この位置登録サービスにより自分を守るような監視用途としてのシステムが存在しない。現在、ネットワーク機能を有する監視カメラ及びこれらの集中管理システムが各業種で多く導入されている。特にインターネット接続型のカメラは、既存のＬＡＮ、あるいは公衆網に容易に設置することができ、ユーザはパソコンなどを利用して容易に各カメラの撮影画像を入手し、参照することが可能となっている。このようなカメラ端末を街中に複数設置し、自分を撮影してもらい、自分自身あるいは保護者がこれを見ることでこの課題を解決することができるが、ユーザが所望のカメラ端末を選定するまでの手順が多くなり、サービス性が低下することが考えられる。例えば、住所を入力しながらカメラ端末を絞り込んだり、キーワード検索によりカメラ端末を絞り込んだりしなければならず、ＰＤＡや携帯電話などの携帯端末を使用してサービスを受ける場合は特に操作が煩わしい。
【０００９】
したがって本発明は、視点を遠方とした臨場感のあるシチュエーションを収めることができるカメラ端末を複数有し、かつ、ユーザが所望のカメラ端末を選定することが容易である画像提供サービスシステムを提供することを目的とする。
【課題を解決するための手段】
【００１０】
上記目的を達成するため本発明では、携帯端末の位置情報を取得し、近傍のカメラ端末リストを自動的に生成し、携帯端末を介してユーザに参照させ、所望のカメラ端末を選定させる構成としている。
すなわち、本発明によれば、複数のカメラ端末とサービス局と基地局とがネットワークにより接続され、前記複数のカメラ端末中の所望のカメラ端末で得た画像を前記基地局と通信可能な携帯端末に提供する画像提供サービスシステムであって、
前記複数のカメラ端末のそれぞれが、少なくとも、画像情報を取り込む撮像部と、前記撮像部にて撮影した画像情報のデジタルデータ化及び圧縮を行うエンコーダと、カメラの撮影範囲を変更し、ズーム操作を行うパンチルト機構部と、前記エンコーダの出力信号を送信するとともに、前記ネットワークとの間で通信を行うインターフェイス手段と、前記携帯端末により指定されたとき、前記パンチルト機構部及び前記撮像部を制御して前記携帯端末により指定された画像及び／又は静止画像を撮像し、かつ前記送信する手段を制御して撮影画像を前記携帯端末に提供する制御手段とを有し、
前記携帯端末が、少なくとも、前記基地局との間で通信を行う無線制御部と前記カメラ端末が撮影及びエンコードを行った画像データを表示可能な形式に変換するデコーダと、前記デコーダでデコードされた画像情報を表示する表示部と、前記複数のカメラ端末中の所望のカメラ端末を前記サービス局から提供される前記携帯端末近傍のカメラ端末のリストに基づき指定するとともに、指定したカメラ端末に対してパン、チルト、ズームの動作並びに静止画像を要求する操作部と、前記無線制御部を介して受信した信号を前記デコーダに送り前記表示部に所定の表示を行わせるよう制御する制御部とを有し、
前記基地局は、前記携帯端末を前記ネットワークに接続するものであり、
前記サービス局は、少なくとも、前記携帯端末と通信可能な前記基地局が提供する前記携帯端末の位置を管理する携帯端末位置情報管理部と、前記カメラ端末が設置された位置を管理するカメラ位置情報管理部と、前記ネットワークとの間で通信を行うインターフェイスと、前記携帯端末位置情報管理部とカメラ位置情報管理部と前記インターフェイスを制御するとともに、前記携帯端末位置情報管理部から得られる前記携帯端末の位置情報により前記携帯端末近傍のカメラ端末の前記リストを前記携帯端末に提供する制御手段とを有するサービス局と、
を有し、前記携帯端末により指定されたカメラ端末により撮像された撮像画像を前記ネットワーク及び前記基地局を経由して前記携帯端末に送信して、前記画像が前記携帯端末の前記表示部により表示されるよう構成されている画像提供サービスシステムが提供される。
【００１１】
なお、前記カメラ端末の前記撮像部が、画像情報を取り込みビットマップ形式の画像データを生成するよう構成され、前記カメラ端末がさらにエンコードされた画像データをビットマップ形式に変換するデコーダと、２つのビットマップ画像データを比較する画像認識部とを有し、
前記携帯端末の前記操作部及び前記制御部が、前記カメラ端末より取得した画像情報による画像上の追尾対象とする物体の座標情報を付加する手段と、前記カメラ端末に前記座標情報の付加された画像情報を戻すとともに、追尾要求を行う手段を構成し、
前記カメラ端末の前記制御部は、前記携帯端末より戻された画像情報をビットマップ画像データに変換し、追尾対象となる物体について前記撮像部が生成したビットマップ画像データと連続的に比較し、追尾対象の物体の移動を検出した場合、前記パンチルト機構部に、移動した物体を追尾するデータを渡しつつ、連続的に画像を前記携帯端末に提供するよう構成されていることは、本発明の好ましい態様である。
【００１２】
前記サービス局の前記制御部と、前記携帯端末位置情報管理部と、前記カメラ位置情報管理部とにより、前記カメラ端末が追尾対象の移動の物体として前記携帯端末を追尾したとき前記携帯端末が接続する前記基地局が他の基地局に変更されたことを検出する手段と、前記携帯端末が接続している前記基地局の変更に合わせて前記携帯端末の位置を示す情報を常時更新する手段と、新たに接続された前記基地局の位置情報を基に近傍の前記カメラ端末を自動的にリストアップする手段と、リストアップされた位置情報を前記携帯端末に提供する手段が構成されていることは、本発明の好ましい態様である。
【発明の効果】
【００１３】
請求項１に記載の画像提供サービスシステムでは、ユーザは携帯端末を利用してインターネットに接続し、カメラ端末が撮影する画像を簡単に入手することが可能となり、これまでの近距離撮影ではなく、より遠方からの、臨場感のある画像を入手することが可能となる。これにより、街頭、レストラン、ホテル、テーマパークなどの様々なシーンにおいて、自分のファッションを客観的に確認したり、映画やテレビドラマでしかあり得なかった視点で自分を見ることができ、タレント気分を味わうことができる。
さらに、携帯端末の位置情報を利用することにより、ユーザが所望のカメラ端末を選定する手順が少なくなり、ＰＤＡや携帯電話などといったユーザＩ／Ｆに自由度が少ない携帯端末であってもサービス性を低下させることがない。
【００１４】
また請求項２に記載の画像提供サービスシステムでは、携帯端末を用いて、容易に追尾する対象をカメラ端末に伝えることが可能となる。
【００１５】
また請求項３に記載の画像提供サービスシステムでは、追尾対象である携帯端末を持ったユーザが、追尾中であったカメラ端末の追尾範囲を超えた場合においても、携帯端末の位置情報が更新されることにより、新たな位置の近傍のカメラ端末で再び追尾することが可能となる。
【発明を実施するための最良の形態】
【００１６】
＜第１の実施の形態＞
以下に、本発明に係る画像提供サービスシステムの実施の形態について説明する。図１は本システムの各実施の形態を示すブロック図である。
まず、サービス局１０１は、携帯端末１１６がカメラ端末１０８を選び、画像を取得するための窓口であり、その内部は、インターネット１２３などのネットワークに接続されたカメラ端末１０８を含む複数のカメラ端末の一覧情報を提供するＷｅｂサーバ１０６と、
サービス局１０１をインターネット１２３に接続するためのネットワークＩ／Ｆ１０７と、外部機器と通信ネゴシエーションを行ったり、内部機能ブロックを制御したりする制御部１０２と、携帯端末１１６を始めとする複数の携帯端末と通信可能な基地局が提供する携帯端末の位置を管理する携帯端末位置情報管理部１０３と、カメラ端末１０８を始めとする複数のカメラ端末が設置された位置を管理するカメラ位置情報管理部１０４と、カメラ端末１０８が提供する静止画像を添付してメール配信するメールサーバ１０５から構成され、これはパソコンやワークステーションなどで実現することが可能である。
【００１７】
また、カメラ端末１０８は、自身が撮影した画像を、インターネット１２３を介して提供する機能を有し、その内部は、画像情報を取り込む撮像部１１１と、撮影した画像情報をデジタルデータ化及び圧縮を行うエンコーダ１１３と、カメラ端末１０８をインターネット１２３に接続するためのネットワークＩ／Ｆ１１５と、外部機器と通信ネゴシエーションを行ったり、内部機能ブロックを制御したりする制御部１０９と、カメラの撮影範囲を変更したり、ズーム操作を行うパンチルト機構部１１０と、エンコードされた画像データをビットマップ形式に変換するデコーダ１１４と、２つのビットマップ画像データを比較する画像認識部１１２とから構成される。
【００１８】
また、携帯端末１１６は、インターネット１２３を介してデータ通信を行ったり、音声通話を行ったりする機能を有し、その内部は、ユーザが携帯端末１１６を操作するための操作部１２１と、圧縮された画像情報を伸長するデコーダ１２０と、伸長された画像情報を出力する表示部１１９と、無線回線により基地局１２２を介してインターネット１２３に接続するための無線制御部１１８と、外部機器と通信ネゴシエーションを行ったり、内部機能ブロックを制御したりする制御部１１７とから構成され、これはＰＤＡ、ＰＨＳ、携帯電話などで実現することが可能である。
【００１９】
次に、上記の構成による画像提供サービスシステムの動作原理について、図を用いながら説明する。なお、図２はサービスシチュエーションを示す図であり、図３は基本的なシステム動作及び通信動作のフローであり、図４は携帯端末の画面表示例である。本例では、図２に示す様に、ユーザ２０１が携帯端末２０２を持っており、カメラ端末２０３がその近傍の建物の屋上に設置されており、更にその近傍に基地局２０４が設置されており、携帯端末２０２と接続しているシチュエーションを前提として記す。
【００２０】
また、図３のフローについて、さらに以下の３つのフェーズに分けて説明を行う。
Ｐ１：携帯端末１１６がサービス局１０１に接続し、所望のカメラ端末１０８を選定するまでのフロー
Ｐ２：携帯端末１１６がカメラ端末１０８のパンチルト制御を行い、静止画を取得するまでのフロー
Ｐ３：携帯端末１１６が静止画のメール転送をサービス局１０１に要求し、サービス局が静止画のメール転送を行うまでのフロー
【００２１】
Ｐ１：携帯端末１１６がサービス局１０１に接続し、所望のカメラ端末１０８を選定するまでのフロー
まず、携帯端末１１６を持ったユーザは、操作部１２１を用いてインターネット１２３に接続を行い、サービス局１０１に対して自身の近傍のカメラ端末リストを要求する。この場合、携帯端末１１６が内部にＷｅｂブラウザを有し、サービス局１０１のＷｅｂサーバ１０６に接続してＨＴＭＬ形式でコミュニケーションを行ってもよいし、これ以外の形式でコミュニケーションを行ってもよい。なお、図１上にＷｅｂサーバ１０６を記載している理由として、従来例のようにパソコンからも本システムサービスを受けられることも意味している。
【００２２】
カメラ端末リストを要求されたサービス局１０１では、あらかじめ携帯端末位置情報管理部１０３において、システムに所属する基地局１２２を始めとする各基地局が設置された位置情報が管理されている。そして上記携帯端末１１６と通信可能な基地局１２２を特定することにより、上記携帯端末１１６の最新の位置を特定し、近傍のカメラ端末１０８を含むカメラ端末のリストデータを生成し、基地局１２２を介して携帯端末１１６にカメラ端末リストを提供する。
【００２３】
リストを提供された携帯端末１１６では、図４（ａ）に示すような画面となり、ユーザは操作部１２１を用いて所望のカメラ端末を選定する。図４（ａ）の画面では、携帯端末１１６が現在位置している住所と、周辺カメラ一覧情報としてカメラ端末が設置されている住所、設置されている建物と設置状況、カメラの撮影可能方向、携帯端末１１６からの距離及びカメラ端末の使用状況が表示されている。当然ながら使用中となっているカメラ端末へのアクセスは不可能であり、表示色を変えるなどして選択できないことをユーザに示す。
【００２４】
選定する手段として、例えば、あるカメラ端末を選択して地図表示ボタン１４を押すと、サービス局１０１は選択されたカメラ端末の位置の印、及び撮影方向の印が着いた地図画像データを生成し、携帯端末１１６に提供する。このような手法により、ユーザは容易にカメラ端末が設置されている場所や撮影方向を把握することができる。
あるいは、選定するためのもう１つの手段として、あるカメラ端末を選択して撮影状況ボタン１０を押すと、サービス局１０１はカメラ端末に対して静止画撮影要求を行い、取得した静止画をプレビュー画面として携帯端末に提供する。ここでは、サービス局１０１を介してプレビュー画面を提供しているが、携帯端末１１６が直接取得してもよいが、複数の携帯端末１１６、あるいはその他の通信端末からのアクセスによるバッティングや、課金の区別を考慮するシステムとした場合はサービス局１０１を介する手段も想定される。あるいは、サービス局１０１が、リストアップした近傍のカメラ端末の撮影状況すなわち静止画を一気に取得して携帯端末１１６に提供し、携帯端末１１６側で一度に各カメラ端末の撮影状況を把握することも可能となる。
なお、フローには記していないが、カメラ端末の選定手段として、ユーザが距離を指定してサービス局１０１にリストアップさせて絞り込むことも考えられる。
【００２５】
以上のようにして、所望のカメラ端末１０８の選定を行い、決定ボタン１２を押すと、サービス局１０１はこれを受付け、カメラ端末１０８のアドレス情報を携帯端末１１６に提供する。
【００２６】
Ｐ２：携帯端末１１６がカメラ端末１０８のパンチルト制御を行い、静止画を取得するまでのフロー
携帯端末１１６はサービス局１０１より取得したアドレスによりカメラ端末１０８に接続する。カメラ端末１０８では、撮像部１１１、エンコーダ１１３、ネットワークＩ／Ｆ１１５を経由して動画像を、インターネット１２３、基地局１２２を介して携帯端末１１６に連続的に送信し、携帯端末１１６ではこの動画像を無線制御部１１８、制御部１１７、デコーダ１２０を経由して連続的に表示部１１９上に表示する。なお、表示例として図４（ｂ）に示すような画面となる。
【００２７】
さらに、ユーザは操作部１２１を使用してカメラ端末１０８に対してパン、チルト、ズーム制御を行うことができ、カメラ端末１０８はユーザのパン、チルト、ズーム要求に合わせて、パンチルト機構部１１０により、角度などを調整しながら撮影画像を連続的に携帯端末１１６に送信する。
次に、ユーザが撮影ボタンを押すことにより、携帯端末１１６はカメラ端末１０８に静止画像を要求する。すると、カメラ端末１０８は携帯端末１１６に対し、携帯端末１１６の表示部１１９において表示可能とする携帯端末用のフォーマットの静止画像を、識別番号を割り付けて携帯端末１１６に送信する。これと同時に、カメラ端末１０８は、一般的なパソコンの表示部が表示可能とする高精細のフォーマットによる静止画像も生成し、携帯端末用のフォーマットの静止画像に割り付けられた識別番号に従属した識別番号を割り付けて一時的に保持する。
【００２８】
携帯端末１１６では、カメラ端末１０８により取得した携帯端末用のフォーマットの静止画像を表示部１１９上に表示し、ユーザは静止画を参照したり、フラッシュメモリなどに保存することが可能となる。
【００２９】
なお、高精細のフォーマットによる静止画像も生成する理由はＰ３で示すが、各静止画のフォーマット例を以下に示す。
携帯端末用のフォーマットの静止画像
画像サイズ：ＱＣＩＦ（３２０＊２４０）
階調：８ｂｉｔ
個別番号：２００３０５１８：３１２：１２６：０：００１２５・・・（１）
高精細のフォーマットによる静止画像
画像サイズ：ＸＧＡ（１２８０＊６４０）
階調：１６ｂｉｔ
個別番号：２００３０５１８：３１２：１２６：１：００１２５・・・（２）
【００３０】
なお、上記の個別番号は、
日付：設置地区番号：カメラ番号： 携帯端末用（０）／高精細（１）：撮影順序番号
のフォーマットとしたが、特に規定はしない。
【００３１】
Ｐ３：携帯端末１１６が静止画のメール転送をサービス局１０１に要求し、サービス局が高精細の静止画のメール転送を行うまでのフロー
携帯端末用のフォーマットの静止画を取得した携帯端末１１６において、ユーザが取得した静止画に対応した高精細な静止画像のメール転送を希望する場合、操作部１２１を用いてこれをサービス局１０１に要求するが、その際携帯端末１１６は、転送が希望された携帯端末用のフォーマットの静止画に割り付けられた識別番号（例えば上記（１）の符号）とユーザが入力したメールアドレス情報を付加してサービス局１０１に要求する。要求を受け付けたサービス局１０１は、カメラ端末１０８に対して携帯端末１１６から送り付けられた識別番号（例えば上記（１）の符号）を付加して要求する。
【００３２】
要求を受け付けたカメラ端末１０８は、サービス局１０１から送り付けられた識別番号から、これに従属した識別番号（例えば上記（２）の符号）を有する高精細静止画像を自身が保持していた静止画像群から抽出し、これをサービス局１０１に転送し、これを受け取ったサービス局１０１上のメールサーバ１０５は携帯端末１１６から送り付けられた転送先メールアドレスに対して、添付形式で高精細静止画像をメール送信する。
【００３３】
＜第２の実施の形態＞
次に、本発明の第２の実施の形態の動作原理について、図を用いながら説明する。なお、図５は基本的なシステム動作及び通信動作のフローである。また、図５のフローについて、さらに以下の３つのフェーズに分けて説明を行う。
【００３４】
Ｐ４：携帯端末１１６がカメラ端末１０８に接続し、静止画を取得するまでのフロー
Ｐ５：携帯端末１１６が追尾要求を行い、カメラ端末１０８が追尾を行うフロー
Ｐ６：携帯端末１１６が移動することにより、サービス局１０１が新たなカメラ一覧情報を携帯端末１１６に提供するフロー
【００３５】
Ｐ４：携帯端末１１６がカメラ端末１０８に接続し、静止画を取得するまでのフロー
まず、第１の実施の形態における図３のＰ１の手順により、携帯端末１１６はサービス局１０１より所望のカメラ端末１０８のアドレスを取得したこととする。
次に第１の実施の形態と同様に、携帯端末１１６はサービス局１０１より取得したアドレスによりカメラ端末１０８に接続する。カメラ端末１０８では、撮像部１１１、エンコーダ１１３、ネットワークＩ／Ｆ１１５を経由した動画像を、インターネット１２３、基地局１２２を介して携帯端末１１６に連続的に送信し、携帯端末１１６ではこの動画像を無線制御部１１８、制御部１１７、デコーダ１２０を経由して連続的に表示部１１９上に表示する。
【００３６】
次に、第１の実施の形態と同様に、ユーザが撮影ボタンを押すことにより、携帯端末１１６はカメラ端末１０８に静止画像を要求する。すると、カメラ端末１０８は携帯端末１１６に対し、携帯端末１１６の表示部１１９において表示可能とする携帯端末用のフォーマットの静止画像を、識別番号を割り付けて携帯端末１１６に送信する。携帯端末１１６では、カメラ端末１０８により取得した携帯端末用のフォーマットの静止画像を表示部１１９上に表示する。
【００３７】
Ｐ５：携帯端末１１６が追尾要求を行い、カメラ端末が追尾を行うフロー
次に、携帯端末１１６が先ほど取得した静止画像を参照し、操作部１２１を用いて追尾対象を画面上で指定して、追尾開始を指定すると、携帯端末１１６は追尾対象の指定に使用したリファレンス画像データと、追尾対象とした物体の座標情報を付加させてカメラ端末１０８に追尾要求を行う。
【００３８】
これを受け付けたカメラ端末１０８では、携帯端末１１６から取得したリファレンス画像データをデコーダ１１４によりビットマップ画像データに変換し、このデータと撮像部が生成したリアルタイムのビットマップ画像データとを、画像認識部１１２において連続的に比較し、画面上の追尾対象である移動物体を監視する。物体の移動を検出した場合、画像認識部１１２あるいは制御部１０９は、移動した物体を追尾するためのデータをパンチルト機構部１１０へ渡し、追尾を行う。これと同時に、カメラ端末１０８は携帯端末１１６に対して追尾中の動画像を連続的に送信する。
【００３９】
Ｐ６：携帯端末１１６が移動することにより、サービス局１０１が新たなカメラ一覧情報を携帯端末１１６に提供するフロー
追尾される移動物体が携帯端末１１６を含むもの、例えば携帯端末１１６を手に持ったユーザであった場合においては、追尾対象としていた物体が遠距離に移動した場合、携帯端末１１６が接続していた基地局１２２からも離れ、携帯端末１１６は新たな基地局に接続を行う。基地局変更にあたって、サービス局１０１とカメラ端末１０８間で、カメラ端末１０８による携帯端末１１６のための、画像提供サービスを終了する処理が行われる。すると、サービス局１０１における携帯端末位置情報管理部１０３は、接続先基地局の変更情報により、携帯端末１１６の新たな位置情報を登録更新する。すると、サービス局１０１では自動的に近傍のカメラ端末のリストデータを生成し、新たな基地局を介して携帯端末１１６にカメラ端末リストを提供する。その後は再びユーザがカメラ端末を指定して接続し、Ｐ４と同様の手順で静止画を取得し、Ｐ５の手順で追尾を再び開始させる。この際、リファレンス画像及び追尾対象とする物体の座標情報を携帯端末１１６から送り直す手段が最も簡単であるが、操作性向上のため自動的にカメラ端末同士で追尾のための情報を転送し合う手段も取られる。
【００４０】
＜第３の実施の形態＞
次に、使用中のカメラ端末に対してより優先度の高いユーザが接続する場合に対応する実施の形態の動作原理について、図を用いながら説明する。
なお、サービス局には図６に示すように、システムを利用するユーザの情報を管理するユーザ管理部６０１、各ユーザに対する課金処理を行う課金管理部６０２を有することとする。また、図７はユーザ管理部６０１が管理する、ユーザ分類表を示している。また、図８はユーザ管理部６０１が管理する、各ユーザの個別管理表を示している。また、図９は本実施の形態におけるシステム動作及び通信動作のフローを示している。
【００４１】
なお、図９のフローについて、さらに以下の４つのフェーズに分けて説明を行う。
Ｐ７：端末Ａが利用するカメラ端末を検索・決定し、画像提供サービスを受けるフロー
Ｐ８：端末Ｂが利用するカメラ端末を検索・決定し、より優先度の高い端末Ａが利用中のカメラ端末を指定した場合の処理フロー
Ｐ９：端末Ｂにカメラ端末を切り換えることによる、端末Ａに対する切断処理のフロー
Ｐ１０：端末Ｂにカメラ端末が切り換わり、サービス提供を開始するフロー
なお、手順を理解し易くするため、端末Ａ、端末Ｂが以下のユーザとしてシステムに登録してあったこととする。
【００４２】
端末Ａ
図８表のユーザＮｏ．：１−５−０９０４４３２４１２４（上から２つ目）
図７表のユーザ分類：４（一般）
端末Ｂ
図８表のユーザＮｏ．：０−１−４２３２８（上から６つ目）
図７表のユーザ分類：３（警察）
すなわち、図７によると端末Ａは優先順位６、端末Ｂは優先順位１となり、端末Ｂは端末Ａより優先度が高いことを示す。
【００４３】
Ｐ７：端末Ａが利用するカメラ端末を検索・決定し、画像提供サービスを受けるフロー
まず、第１の実施の形態における図３のＰ１と同様の手順により、端末Ａはサービス局１０１より所望のカメラ端末のアドレスを取得し、カメラ端末に接続し、画像提供サービスを受ける。なお、端末Ａが接続するカメラ端末を決定した時点で、サービス局１０１ではユーザ管理部６０１が管理する個別管理表上に記載されている、端末Ａの課金ＢＯＸ「６００３４」に対して、課金管理部６０２は課金を開始する。ここでは通常課金であるので、図７に基づき０．２円／秒の課金が行われる。
【００４４】
Ｐ８：端末Ｂが利用するカメラ端末を検索・決定し、より優先度の高い端末Ａが利用中のカメラ端末を指定した場合の処理フロー
次に、端末Ｂは第１の実施の形態における図３のＰ１と同様の手順により、接続するカメラ端末を端末Ａが使用中であったカメラ端末に決定する。すると、サービス局１０１は接続のバッティングを認識し、端末Ａと端末Ｂのユーザ優先度を比較する。ここで端末Ａの優先度が高かった場合は端末Ｂに対して接続拒否を通知するが、本例では端末Ｂの優先度が高いため、サービス局１０１は端末Ａに対して報酬を与えてカメラ端末を獲得するか、すなわち割込み課金を行うことで端末Ａから端末Ｂへのカメラ接続を切り換えるかの回答を要求する。要求の際は図７で管理している端末Ｂの課金契約情報を示す必要もある。
端末Ｂが端末Ａに対して報酬を与えてカメラ端末を獲得する、すなわち割込み課金を行うことを許可した場合、サービス局１０１はこれを受け付ける。
【００４５】
Ｐ９：端末Ｂにカメラ端末を切り換えることによる、端末Ａに対する切断処理のフロー
サービス局１０１は接続中であった端末Ａに対し、優先順位の高いユーザによる切り換えが発生したことを通知し、同時に端末Ｂが端末Ａに支払う報酬の情報を案内する。そして課金管理部６０２が行っていた端末Ａに対する課金を終了し、カメラ端末と端末Ａの接続を切断する。
【００４６】
Ｐ１０：端末Ｂにカメラ端末が切り換わり、サービス提供を開始するフロー
まず、サービス局１０１ではユーザ管理部６０１が管理する端末Ｂの課金ＢＯＸ情報「７９３４０」に対して、課金管理部６０２は課金を開始する。ここでは割込み課金となるため、図７に基づき１０円／秒の課金が行われる。さらに、端末Ａに対する被割込み報酬として、０．７円／秒が端末Ａの課金ＢＯＸ情報「６００３４」に対してカウントされる。与えられる報酬はこのような従量料金であっても固定料金であってもよい。
【００４７】
その後、サービス局１０１は端末Ｂに対して獲得したカメラ端末のアドレス情報を提供し、端末Ｂはカメラ端末へ接続を行い、画像提供サービスを受ける。
【００４８】
＜第４の実施の形態＞
次に、各ユーザの予約によるカメラ端末使用、サービス局１０１の撮影画像データの一時保存に対応する第４の実施の形態の動作原理について図を用いながら説明する。なお、サービス局は図６に示すように、システムを利用するユーザの情報を管理するユーザ管理部６０１、各ユーザに対する課金処理を行う課金管理部６０２及びカメラ端末使用スケジュールを管理するスケジュール管理部６０３を有することとする。また、図７はユーザ管理部６０１が管理する、ユーザ分類表を示している。また、図８はユーザ管理部６０１が管理する、各ユーザの個別管理表を示している。また、図１０はスケジュール管理部６０３が管理する、あるカメラ端末に対するスケジュール管理表を示している。なお、本例では予約を受け付ける条件として、動画像撮影スケジュールに割込むことができるスケジュールは優先度の高い静止画スケジュールのみとしているが、その他のバッティング予約の受付け条件やスケジュール管理はシステムの運営形態によって変えることが望ましい。また、図１１はスケジュール管理部６０３が管理する、上記スケジュールを時系列的に示している。また、図１２は本実施の形態におけるシステム動作及び通信動作のフローであり、図１０のスケジュール上にある１０：００から１５：００の時間帯における、動画撮影スケジュールであるＮｏ．２００３０５１００２０（図１０の上から２番目）及び静止画撮影スケジュールであるＮｏ．２００３０５１００２１（図１０の上から４番目）の発生についての動作を示すものである。
【００４９】
なお、図１２のフローについて、さらに以下の４つのフェーズに分けて説明を行う。
Ｐ１１：端末Ａのための、スケジュール動画撮影及びサービス局１０１による画像データ蓄積を行うフロー
Ｐ１２：Ｐ１１のスケジュール動画撮影中における、端末Ｂのための、スケジュール静止画撮影の割込み処理及び端末Ｂへの静止画データ通知のフロー
Ｐ１３：スケジュール静止画撮影の割込み処理後のスケジュール動画撮影の復帰フロー
Ｐ１４：スケジュール静止画撮影の終了処理、端末Ａへの終了通知及び端末Ａによる画像データのダウンロードのフロー
なお、手順を理解し易くするため、端末Ａ、端末Ｂが以下のユーザとしてシステムに登録してあったこととする。
【００５０】
端末Ａ
図８表のユーザＮｏ．：４−５−１６１０５（上から５つ目）
図７表のユーザ分類：２（セキュリティ）
端末Ｂ
図８表のユーザＮｏ．：０−１−４２３２８（上から６つ目）
図７表のユーザ分類：３（警察）
すなわち、図７によると端末Ａは優先順位２、端末Ｂは優先順位１となり、端末Ｂは端末Ａより優先度が高いことを示す。
【００５１】
Ｐ１１：端末Ａのための、スケジュール動画撮影及びサービス局１０１による画像データ蓄積を行うフロー
まず、スケジュール管理部６０３において、自身が有する時計機能により図１０のスケジュールに基づき、端末Ａのための動画撮影スケジュールであるＮｏ．２００３０５１００２０の起動シグナルを発生する。シグナルを認識した課金管理部６０２は、ユーザ管理部６０１が管理する個別管理表上に記載されている、端末Ａの課金ＢＯＸ「６０５４５」に対して、課金を開始する。ここでは通常課金であるので、図７に基づき４円／秒の課金が行われる。
【００５２】
次に、サービス局１０１はカメラ端末に対して動画像の撮影要求を行うが、その際は画像のフォーマット情報や撮影位置情報を通知してもよい。
次に、カメラ端末は要求された条件に合わせて動画像データを生成し、サービス局１０１に対して出力する。これを受けたサービス局１０１は、自身が有するＨＤＤなどのストレージデバイス（図示せず）に蓄積する。
【００５３】
Ｐ１２：Ｐ１１のスケジュール動画撮影中における、端末Ｂのための、スケジュール静止画撮影の割込み処理及び端末Ｂへの静止画データ通知のフロー
Ｐ１１による端末Ａのための動画像データ生成・蓄積の途中に、次にスケジュール管理部６０３は、図１０のスケジュールに基づき、端末Ｂのための静止画撮影スケジュールであるＮｏ．２００３０５１００２１の起動シグナルを発生する。なお、図１０のスケジュールは予約受付時にバッティングに対する優先度の考慮は既に行われているとみなし、シグナルを認識した課金管理部６０２は、端末Ａの課金ＢＯＸ「６０５４５」に対する課金を中断する。
【００５４】
次に、サービス局１０１はカメラ端末に対して静止画像の撮影要求を行うが、その際は画像のフォーマット情報や撮影位置情報を通知してもよい。なお、本例では示していないが、この際に端末Ｂから端末Ａへの割込み報酬の授受があってもよい。
【００５５】
次に、カメラ端末は要求された条件に合わせて静止画像データを生成し、サービス局１０１に対して出力する。これを受けたサービス局１０１は、自身が有するＨＤＤなどのストレージデバイス（図示せず）に蓄積する。同時に、端末Ｂの課金ＢＯＸ「７６６５４」に対して、課金を開始する。ここでは割込み課金が行われるが、図７に基づいた１０円／秒の課金あるいは別途用意された静止画撮影用の料金が課金される形でもよい。
【００５６】
次に、静止画撮影及び蓄積が終了すると、サービス局１０１内のメールサーバ１０５より図８で管理された端末Ｂのメールアドレス（ここではpolice@keishityou.or.jp）に対して蓄積した静止画像を添付した形でメール送信を行う。これを受け取った端末Ｂでは添付画像を開き、これを表示させることができる。
【００５７】
Ｐ１３：スケジュール静止画撮影の割込み処理後のスケジュール動画撮影の復帰フロー
次に、サービス局１０１では、中断していた端末Ａに対する動画像提供サービスを再開するため、端末Ａの課金ＢＯＸ「６０５４５」に対する課金を再開し、カメラ端末に対してＰ１１と同様に動画像撮影要求を行う。そして、要求を受けたカメラ端末はＰ１１と同様に動画像データを生成し、サービス局１０１に対して出力する。これを受けたサービス局１０１は、自身が有するＨＤＤなどのストレージデバイス（図示せず）に蓄積する。
【００５８】
Ｐ１４：スケジュール静止画撮影の終了処理、端末Ａへの終了通知及び端末Ａによる画像データのダウンロードのフロー
スケジュール管理部６０３において、自身が有する時計機能により図１０のスケジュールに基づき、端末Ａのための動画撮影スケジュールであるＮｏ．２００３０５１００２０の終了シグナルを発生する。シグナルを認識した課金管理部６０２は、ユーザ管理部６０１が管理する個別管理表上に記載されている、端末Ａの課金ＢＯＸ「６０５４５」に対する課金を終了し、これと同時に動画像の蓄積作業を終了し、ファイル化してＷｅｂサーバ１０６に登録する。
【００５９】
次に、サービス局１０１内のメールサーバ１０５より図８で管理された端末Ａのメールアドレス（ここではsec@bouhan.ne.jp）に対して撮影スケジュールが終了したことを示すメール送信を行う。これを受け取った端末Ａでは、ＷｅｂブラウザなどによりＷｅｂサーバ１０６に接続し、Ｗｅｂ画面上の動画像ファイルのリンクボタンをクリックするなどして、ダウンロードを行い、動画像ファイルを自身のストレージデバイスにコピーし、再生ソフトなどにより動画像を再生し表示させることができる。
【００６０】
本発明は、特許請求の範囲に記載された発明以外に下記の発明をも包含するものである。
【００６１】
少なくとも、サービス局はメールサーバを有し、携帯端末が静止画像を要求すると、カメラ端末は携帯端末に対し、携帯端末の表示部において表示可能とする第１のフォーマットの静止画像を、識別番号を割り付けて提供するとともに、パソコンの表示部が表示可能とする第２のフォーマットによる静止画像を生成し、第１のフォーマットの静止画像の識別番号に従属した識別番号を割り付けて保持し、携帯端末が取得済みである第１のフォーマットの静止画像の識別番号及び送信先メールアドレスを付加してサービス局にメール転送要求を行うと、サービス局は第１のフォーマットの静止画像識別番号を付加してカメラ端末に第２のフォーマットの静止画像を要求し、カメラ端末は第１のフォーマットの静止画像識別番号によりこれに従属した識別番号を有する第２のフォーマットの静止画像をサービス局に転送し、サービス局上のメールサーバは送信先メールアドレスに対して、第２のフォーマットの静止画像データを添付してメール送信することを特徴とする請求項１に記載の画像提供サービスシステム（発明Ａ）。
【００６２】
少なくとも、サービス局はカメラ端末を使用する各ユーザに対して優先順位と課金レベル情報を割り付けた情報を含むユーザ管理部と、各ユーザの課金処理と状況を管理する課金管理部を有し、第１のユーザが使用中のカメラ端末に対してより優先順位の高い第２のユーザが接続した場合、第２のユーザに与えられていた課金レベルに応じて、第２のユーザから第１のユーザに対して課金を行い、第１のユーザとカメラ端末の接続を中止し、第２のユーザとカメラ端末の接続を開始することを特徴とする請求項１に記載の画像提供サービスシステム（発明Ｂ）。
【００６３】
少なくとも、サービス局は各ユーザに対して所望のカメラ端末への接続予約を受付け、管理するスケジュール管理部を有し、スケジュール情報として少なくともカメラ端末が提供する画像フォーマットとして動画若しくは静止画を選択することができ、動画撮影スケジュール中には優先順位の高いユーザによる静止画撮影スケジュールの挿入を受付け、カメラ撮影と画像提供を行うことを特徴とする請求項１又は上記発明Ｂの画像提供サービスシステム（発明Ｃ）。
【００６４】
動画及び静止画撮影のスケジュール情報として、撮影の位置・範囲データをユーザが提供し、これに基づきカメラ撮影と画像提供を行うことを特徴とする請求項１又は上記発明Ｂ又はＣの画像提供サービスシステム（発明Ｄ）。
【００６５】
スケジュール接続によるカメラ撮影と画像提供において、カメラ端末が出力する画像データをサービス局において一時保存し、Ｗｅｂサービス、ネットワークディレクトリサービス、あるいはメールサービスによりユーザに提供することを特徴とする請求項１又は上記発明Ｂ又はＣの画像提供サービスシステム（発明Ｅ）。
【００６６】
第１のユーザが非スケジュール接続により使用中であったカメラ端末に対して、より優先順位の高い第２のユーザによるスケジュール接続が発生した場合、第２のユーザに与えられていた課金レベルに応じて、第２のユーザから第１のユーザに対して課金を行い、第１のユーザとカメラ端末の接続を中止し、第２のユーザへ提供する撮影を開始することを特徴とする請求項１又は上記発明Ｂ又はＣの画像提供サービスシステム（発明Ｆ）。
【００６７】
第１のユーザがスケジュール接続により使用中であったカメラ端末に対して、より優先順位の高い第２のユーザによる、静止画撮影のための非スケジュール接続が発生した場合、第２のユーザに与えられていた課金レベルに応じて、第２のユーザから第１のユーザに対して課金を行い、第１のユーザとカメラ端末の接続を中断し、第２のユーザへ提供する静止画撮影を行い、撮影終了後、第１のユーザとカメラ端末の接続を再開することを特徴とする請求項１又は上記発明Ｂ又はＣの画像提供サービスシステム（発明Ｇ）。
【００６８】
上記発明Ａにより、携帯端末に提供された画像と同じシチュエーションで、高精細の画像データが別途メールとしてパソコンなどに転送されることで、携帯端末の仕様に縛られない、臨場感のある撮影画像を提供することが可能となり、ユーザはこれを記念写真として保存、プリントアウトすることが可能となる。
【００６９】
また上記発明Ｂにより、カメラ端末が優先度の低いユーザから優先度の高いユーザに、強制的に切り換えられる代わりに、ユーザ間での報酬の受け渡し手続きをネット上で行うことで、民間及び公共システムとして共用が可能となり、システムの円滑なサービスが運営できる。
【００７０】
また上記発明Ｃにより、ユーザは定期的なカメラ端末使用を簡単な手続きで行うことができ、例えば放送用途、監視用途での活用が期待でき、活発で安定したシステム利用が見込める。
【００７１】
また上記発明Ｄにより、ユーザはより範囲の広い撮影を行うことができ、素材としてリアリティの高い画像コンテンツを得ることができ、例えば放送用途、監視用途での活用が期待できる。
【００７２】
また上記発明Ｅにより、リアルタイムで画像の提供を受ける必要がない用途において、スケジュールが終了した後にユーザは自身の都合に合わせて画像データを取得することができ、リアルタイム伝送に必要となる手順、品質（ＱｏＳ）を考慮する必要が無くなるため、ネットワークへ与える負荷も低減される。
【００７３】
また上記発明Ｆにより、あるカメラ端末が非スケジュール利用中であった場合でも、優先度の高いユーザは報酬を提供することで同じカメラ端末をスケジュールにより使用することが可能となり、システムの非スケジュール使用とスケジュール使用を両立することが可能となる。
【００７４】
また上記発明Ｇにより、あるカメラ端末がスケジュール利用中においても、優先度の高いユーザによる非スケジュール静止画撮影の場合は、報酬を提供することで同じカメラ端末を割込みの形で使用することが可能となり、さらに、先にカメラ端末を使用していたユーザは割込みされた後、引き続きカメラ端末使用を継続することが可能となり、システムの非スケジュール使用とスケジュール使用をより両立させていくことが可能となる。
【００７５】
以上のように、本システムはアミューズメント用途のみならず、公共用途としても様々な用途に利用することが可能であり、カメラ端末のバッティングを考慮し、行政用途、民生用途、ビジネス用途で優先度を付けたり、用途ごとに料金を設けるなどによりネットワークカメラをレンタルするビジネスとして可能性が広がる。公共用途としては、例えば路上の園児・児童の安全確保、犯人追尾、事故の現場検証といったセキュリティ用途、あるいは雑誌、ドラマ、ニュースなどのマスコミュニェーション用途においては高い視点からの撮影、臨場感のある画像コンテンツが必要となる場合があり、機材の準備、設置やカメラ制御における煩わしさがあったが、本システムでは、あらかじめインターネット上に接続された複数のカメラ端末を共有して使用することで、その作業が低減される。
【図面の簡単な説明】
【００７６】
【図１】本発明に係る画像提供サービスシステムの実施の形態のブロック図である。
【図２】第１の実施の形態におけるサービスシチュエーションを示す図である。
【図３】第１の実施の形態における基本的なシステム動作及び通信の手順を示すシーケンスチャートである。
【図４】第１の実施の形態における携帯端末の画面表示例である。
【図５】第２の実施の形態における基本的なシステム動作及び通信の手順を示すシーケンスチャートである。
【図６】第３の実施の形態及び第４の実施の形態を実現するための、システムを利用するユーザ、各ユーザに対する課金処理及びカメラ端末使用スケジュールを管理する機能を有するサービス局である。
【図７】ユーザ管理部が管理する、ユーザ分類表を示すものである。
【図８】ユーザ管理部が管理する、各ユーザの個別管理表を示すものである。
【図９】第３の実施の形態における、使用中のカメラ端末に対してより優先度の高いユーザが接続する場合の処理を示す動作手順を示すシーケンスチャートである。
【図１０】スケジュール管理部が管理する、あるカメラ端末に対する使用スケジュールテーブルを示すものである。
【図１１】スケジュール管理部が管理する、あるカメラ端末に対する使用スケジュールを時系列的に示すものである。
【図１２】第４の実施の形態における、スケジュールに基づき使用であったカメラ端末に対してより優先度の高いユーザが接続する場合の処理を示す動作手順を示すシーケンスチャートである。
【図１３】従来技術に係る携帯電話によるナビゲートシステムのブロック図である。
【符号の説明】
【００７７】
１０  撮影状況ボタン
１２  決定ボタン
１４  地図表示ボタン
１０１  サービス局
１０２、１０９、１１７  制御部
１０３  携帯端末位置情報管理部
１０４  カメラ位置情報管理部
１０５  メールサーバ
１０６  Ｗｅｂサーバ
１０７、１１５  ネットワークＩ／Ｆ
１０８、２０３  カメラ端末
１１０  パンチルト機構部
１１１  撮像部
１１２  画像認識部
１１３  エンコーダ
１１４、１２０  デコーダ
１１６  携帯端末
１１８  無線制御部
１１９  表示部
１２１  操作部
１２２、２０４、１３０３  基地局
１２３  ネットワーク（インターネット）
２０１  ユーザ（利用者）
２０２  携帯端末
６０１  ユーザ管理部
６０２  課金管理部
６０３  スケジュール管理部
１３０１  サービス局
１３０２  通信網
１３０４  携帯電話Ａ
１３０５  携帯電話Ｂ
１３０６  ＧＰＳ衛星
【図１】
2005117566.tif 000003
【図２】
2005117566.tif 000004
【図３】
2005117566.tif 000005
【図４】
2005117566.tif 000006
【図５】
2005117566.tif 000007
【図６】
2005117566.tif 000008
【図７】
2005117566.tif 000009
【図８】
2005117566.tif 000010
【図９】
2005117566.tif 000011
【図１０】
2005117566.tif 000012
【図１１】
2005117566.tif 000013
【図１２】
2005117566.tif 000014
【図１３】
2005117566.tif 000015